(57)【特許請求の範囲】
【請求項１】
(a)３−メトキシ−３−メチルブタノール１００重量部と(b)プロピレングリコールモノ−ｎ−ブチルエーテルまたはジプロピレングリコールモノ−ｎ−ブチルエーテル２０〜１５０重量部の混合物を主成分とし、組成物全体に対して(c)水を１６〜３０重量％の割合で含有することを特徴とする洗浄剤組成物。
【発明の詳細な説明】
【０００１】
【発明の属する技術分野】
本発明は、例えば、切削油、加工油、フラックス、プレス油、防錆塗料などの油脂性物質を取り除くための洗浄剤組成物に関する。
【０００２】
【従来の技術】
油脂性物質を取り除くための洗浄剤としては、従来、１，１，１−トリクロロエタン、四塩化炭素、１，１，２−トリクロロ−１，２，２−トリフルオロエタンなどの塩素系化合物やフッ素系化合物が使用されていた。しかし、これらの塩素系化合物やフッ素系化合物は、成層圏のオゾン層を破壊したり、温室効果をもたらしたりするなど、地球環境の悪化の要因となることから、世界各国でその使用の全廃が決定している。
こういった動向を受けて、これらの化合物に代わる、地球環境の悪化の要因となることのない代替洗浄剤に対する要求が高まっており、水系、準水系および非水系などの各種代替洗浄剤が提案されている。
【０００３】
かかる代替洗浄剤に対して求められる性能としては、
i)幅広い種類の油脂性物質に対して優れた洗浄能力を有すること、
ii) 使用する際の作業性の観点から、
イ）臭気による中毒や被液による薬傷などの危険性がないこと、
ロ）引火性が低く、消防法による使用数量の規制が緩やかであること、
ハ）使用後の排水処理の問題がないこと、
などが挙げられる。
【０００４】
本発明者らは、上記の要求性能を満足する洗浄剤を提供すべく研究を重ね、
▲１▼１−アセトキシ−３−メトキシ−３−メチルブタンまたは２−アセトキシ−１−メトキシプロパンと沸点が１２０〜２００℃の飽和炭化水素の混合物からなる洗浄剤（特開平６−３３００９３号公報参照）および
▲２▼３−メトキシ−３−メチルブタノールと水を含有する非引火性洗浄剤（特開平６−３４６０９４号公報参照）を見出し、すでに特許出願している。
【０００５】
上記▲１▼および▲２▼に記載された洗浄剤は、良好な洗浄能力および良好な作業性を兼ね備えたものであるが、使用条件によっては、グリース、パラフィンワックスなどの一部の油脂性物質に対する洗浄能力が低いという問題点がある。
しかして、本発明は、上記の従来の洗浄剤がもつ優れた性能を損なうことなく、洗浄能力をさらに向上させた新たな洗浄剤を提供することを課題とする。
【０００６】
【課題を解決するための手段】
本発明によれば、上記の課題は、(a)３−メトキシ−３−メチルブタノール１００重量部と(b)プロピレングリコールモノ−ｎ−ブチルエーテルまたはジプロピレングリコールモノ−ｎ−ブチルエーテル２０〜１５０重量部の混合物を主成分とし、組成物全体に対して(c)水を１６〜３０重量％の割合で含有することを特徴とする洗浄剤組成物を提供することによって解決される。
【０００７】
本発明において、「(a)３−メトキシ−３−メチルブタノールと(b)プロピレングリコールモノ−ｎ−ブチルエ−テルまたはジプロピレングリコールモノ−ｎ−ブチルエーテルの混合物（以下、これをＭＭＢ混合物と略称する）を主成分とする」とは、洗浄剤組成物中におけるＭＭＢ混合物の含有量が６０重量％以上であることを意味している。洗浄剤組成物中におけるＭＭＢ混合物の割合が６０重量％より少ないと、洗浄剤組成物の各種の油脂性物質に対する洗浄剤能力が低下する。
【０００８】
本発明における３−メトキシ−３−メチルブタノール、プロピレングリコールモノ−ｎ−ブチルエーテルおよびジプロピレングリコールモノ−ｎ−ブチルエーテルは、いずれも工業的に入手可能な化合物であり、市販されているものを使用することができる。
【０００９】
(a)成分である３−メトキシ−３−メチルブタノールと(b)成分であるプロピレングリコールモノ−ｎ−ブチルエーテルまたはジプロピレングリコールモノ−ｎ−ブチルエーテルの混合割合は、(a)成分１００重量部に対して(b)成分が２０〜１５０重量部の範囲内であることが必要である。(a)成分に対する(b)成分の割合が上記の範囲をはずれると、洗浄剤組成物の洗浄能力が低下するので望ましくない。
なお、(b)成分としては、プロピレングリコールモノ−ｎ−ブチルエーテル、ジプロピレングリコールモノ−ｎ−ブチルエーテルをそれぞれ単独で使用してもよいし、また両者を混合して使用してもよい。
【００１０】
本発明の洗浄剤組成物は、さらに水を含有する。水の添加により、洗浄剤組成物は引火性が低減し、使用に際して安全性がより高くなる。水の含有量は、洗浄剤組成物中１６〜３０重量％の範囲であり、１８〜２５重量％の範囲にあることが好ましい。
【００１１】
本発明の洗浄剤組成物は、上記の成分に加え、他の有機溶剤を含有することができる。かかる他の有機溶剤としては、例えば、３−メトキシ−３−メチルブタノール、プロピレングリコールモノ−ｎ−ブチルエーテルおよびジプロピレングリコールモノ−ｎ−ブチルエーテルとは異なる脂肪族グリコールアルキルエーテル；脂肪族グリコールモノアルキルエーテルアセテート；炭素数が６〜１２のモノアルコール；炭素数が３〜６のＮ−アルキルアミドおよび炭素数が８〜１２のケトンなどが挙げられる。
具体的な化合物を示せば、脂肪族グリコールアルキルエーテルとしては、例えば、プロピレングリコールモノメチルエーテル、ジエチレングリコールモノエチルエーテル、ジプロピレングリコールモノメチルエーテルなどを挙げることができ、脂肪族グリコールモノアルキルエーテルアセテートとしては、例えば、１−アセトキシ−３−メトキシ−３−メチルブタン、プロピレングリコールモノメチルエーテルアセテートなどを挙げることができる。また、炭素数が６〜１２のモノアルコールとしては、例えば、ベンジルアルコール、１−オクタノール、２−エチルヘキサノールなどを挙げることができ、炭素数が３〜６のＮ−アルキルアミドとしては、例えば、Ｎ，Ｎ´−ジメチルホルムアミド、Ｎ−メチルピロリドンなどを挙げることができ、さらに、炭素数が８〜１２のケトンとしては、例えば、イソホロンなどを挙げることができる。
【００１２】
これらの他の有機溶剤は単独で使用してもよいし、２種以上を混合して使用してもよい。
これらの他の有機溶剤の含有量は、ＭＭＢ混合物に対して２０重量％未満とすることが望ましい。
【００１３】
さらに、本発明の洗浄剤組成物は、必要に応じ、油脂性物質に対する洗浄剤において従来から使用されている界面活性剤、防錆剤などの任意の成分を含有していてもよい。
【００１４】
本発明の洗浄剤組成物は、従来の洗浄剤に比べ、油脂性物質に対する洗浄能力が向上しており、室温付近で使用しても優れた洗浄能力を発揮する。また、臭気や引火の危険性といった問題点が改善されており、使用時の操作性においても優れている。
【００１５】
本発明の洗浄剤組成物は、使用後、濾過、油水分離等の手段によって回収し、再度洗浄に使用することができる。
なお、何度か洗浄を繰り返して洗浄剤組成物の洗浄能力が低下した場合には、蒸留によってＭＭＢ混合物を回収し、所望により他の成分を添加することにより、洗浄剤組成物を再生することができる。
【００１６】
本発明の洗浄剤組成物は、自動車産業や電子産業などにおいて、金属加工、電子部品加工または光学部品加工等の際に油脂性物質を除去するための洗浄剤として使用できる。
また、本発明の洗浄剤組成物は、ドライクリーニングやランドリーの分野においても、従来の塩素系化合物やフッ素系化合物の代替洗浄剤として使用することができる。
【００１７】
【実施例】
以下、本発明を実施例および比較例により具体的に説明するが、本発明はかかる実施例に限定されるものではない。
【００１８】
なお、実施例および比較例中の「部」は、特記しない限り重量部を表す。
また、以下の実施例および比較例において洗浄能力の評価は下記の方法により行った。
【００１９】
洗浄能力の評価
ステンレス板〔材質ＳＵＳ−３０４（ステンレス鋼）、１００ｍｍ×５０ｍｍ、厚さ１ｍｍ〕からなる試験片をメタノールおよびアセトンで順次洗浄し、次いで４０℃の乾燥器中に３０分間放置した後、デシケーター中で室温まで放冷してから最小単位０．１ｍｇの精度で秤量した。
この試験片の片面の半分に洗浄の対象物質である油脂性物質を約０．２ｇ塗布し、次いで１００℃のオーブン中に３０分間保持し、室温に冷却してから秤量し、洗浄の対象物質である油脂性物質の試験片への付着量を求めた。
【００２０】
続いて、上記で得られた油脂性物質が付着している試験片を、洗浄剤組成物３００ｍｌ中に浸漬し、次の２通りの方法で洗浄を行った。
洗浄方法１：室温（２５℃）下に２分間超音波（２５ＫＨｚ，４００Ｗ）を照射して洗浄する。
洗浄方法２：６０℃で２分間超音波（２８ＫＨｚ，２５０Ｗ）を照射して洗浄する。
【００２１】
洗浄終了後、試験片を洗浄剤組成物中から取り出し、再度同じ洗浄剤組成物３００ｍｌ中に浸漬し、室温にて２分間先の洗浄に用いたものと同じ周波数、同じ出力の超音波を当ててすすぎを行った。すすぎ終了後、試験片を洗浄剤組成物中から取り出し、液切りを行った後、８０℃の温風乾燥器中で３０分間乾燥し、試験片を秤量して試験片に付着している油脂性物質の重量を求めた。洗浄剤組成物による油脂性物質の除去率（％）を下記の式に従って算出し、洗浄能力の指標とした。
【００２２】
【数１】
0003675941.tif 000002
【００２３】
また、洗浄後の試験片の外観を目視で観察し、以下の基準により評価した。
◎：試験片にシミが認められない。
○：試験片に僅かにシミが認められる。
△：試験片にシミが認められる。
×：試験片に油脂性物質が残存する。
【００２４】
なお、実施例および比較例において使用した化合物はそれぞれ次の略号により表記する。
ＭＭＢ      ：  ３−メトキシ−３−メチルブタノール〔（株）クラレ製〕、
ＰＮＢ      ：  プロピレングリコールモノ−ｎ−ブチルエーテル〔ダウケミカル（株）社製〕、
ＤＰＮＢ    ：  ジプロピレングリコールモノ−ｎ−ブチルエーテル〔ダウケミカル（株）社製〕、
ＭＭＢ−Ａｃ：  １−アセトキシ−３−メトキシ−３−メチルブタン〔（株）クラレ製〕、
ＤＰＧＭ    ：  ジプロピレングリコールモノメチルエーテル〔アーコ（株）社製〕
【００２５】
参考例１、実施例１および比較例１〜４
表１に示す成分を表１に示す割合で均一に混合し、洗浄剤組成物を調製した。なお、参考例１および比較例１、２の洗浄剤組成物は、いわゆる非水系の洗浄剤であって、消防法上危険物第４類第３石油類（水溶性液体）に分類される。また、実施例１および比較例３の洗浄剤組成物はいわゆる準水系の洗浄剤であり、消防法上の危険物には該当しない。
【００２６】
それぞれの洗浄剤組成物について上記の方法により洗浄能力の評価を行った。結果を表２および表３に表す。
【００２７】
【表１】
0003675941.tif 000003
【００２９】
【表３】
0003675941.tif 000004
【００３０】
表３より、本発明の洗浄剤組成物は、油性切削油のみならずパラフィンワックスおよびグリースに対しても良好な洗浄能力を発揮することが分かる。
【００３１】
【発明の効果】
本発明によれば、幅広い種類の油脂性物質に対して優れた洗浄能力を有し、使用時の作業性にも優れた洗浄剤組成物が提供される。本発明の洗浄剤組成物は地球環境の悪化の要因となることがなく、従来の塩素系化合物やフッ素系化合物の代替となる洗浄剤として有用である。